(57)【特許請求の範囲】
【請求項１】
通信ネットワークにおける物理層を制御するとともに、消費電力を抑制する省電力モードと、前記消費電力を抑制しない通常モードとを有し、前記通信ネットワークとの間での送受信アクセスが予め設定された設定時間の間無かった場合、前記通常モードから前記省電力モードへ移行する通信部と、
前記通信部を用いて前記通信ネットワークにアクセスする通信制御部と、
前記通信制御部への電源供給をオンオフするスイッチング部と、
前記通信部が前記省電力モードのとき前記スイッチング部をオフさせる監視制御部と、
を備えることを特徴とする画像形成装置。
【請求項２】
前記通信部は、前記省電力モードにおいて、前記通信ネットワークを介して、前記省電力モードから前記通常モードに復帰することを指示する指示信号を受け付けたときには、前記通常モードに復帰し、
前記監視制御部は、前記通信部が前記通常モードに復帰するか否かを監視し、前記通信部が前記通常モードに復帰したときに、前記スイッチング部をオンさせる
ことを備えることを特徴とする請求項１に記載の画像形成装置。
【請求項３】
前記通信制御部と前記通信部とは、通信ラインを介して接続されており、前記通信制御部がマスター、前記通信部がスレーブとなって、１対１通信を行い、
前記監視制御部は、前記通信制御部と前記通信部との間のデータ送受信を監視し、前記データ送受信が予め設定された監視時間の間無かった場合、前記通信制御部に前記通信部へのアクセス権を要求し、前記アクセス権が得られたとき、前記通信ラインを介して前記通信部へアクセスすることによって、前記通信部が前記省電力モードと前記通常モードとのうちいずれのモードであるかを検出する
ことを特徴とする請求項１又は２に記載の画像形成装置。
【請求項４】
原稿の画像データを取得する画像取得部と、
前記画像取得部によって取得された画像データを用紙に形成する画像形成部と、
前記画像取得部及び前記画像形成部を制御する制御部と、を備え、
前記スイッチング部は、前記通信制御部への電源供給に加えて、前記制御部への電源供給をオンオフする
ことを特徴とする請求項１〜３のいずれか１項に記載の画像形成装置。
【発明の詳細な説明】
【技術分野】
【０００１】
本発明は、画像形成装置に関するものである。
【背景技術】
【０００２】
パーソナルコンピューター等、外部の通信端末装置との間で通信可能であり、消費電力を抑制する省電力モードと、消費電力を抑制しない通常モードとを備える画像形成装置が知られている。
【０００３】
この種の画像形成装置は、通常モードにおいて、スキャナ、コピー等の機能が一定期間の間実行されていないときや、外部の通信端末装置からのプリント要求を一定期間受け付けなかったときには、省電力モードに移行する。
【０００４】
ところで、外部の通信端末装置において、画像形成装置との間の接続が切断されたと判断されるのを避ける必要がある。そのため、画像形成装置は、省電力モードにおいて、外部の通信端末装置から、プリント要求や画像形成装置の状態確認の問い合わせのためのアクセスがあったときには、アクセスがあったときから一定期間の間に応答を返す。
【０００５】
応答性を低下させない方法として、例えば、省電力モードでは、コントローラーのうち使用しない部分へのクロック信号の供給を停止する方法がある。また、特許文献１及び２のように、少なくとも通信ネットワークを介した通信機能を割り当てたサブＣＰＵと、メインＣＰＵとを配置し、省電力モードでは、サブＣＰＵには電源を供給しメインＣＰＵには電源を供給しない方法がある。
【先行技術文献】
【特許文献】
【０００６】
【特許文献１】特開２００５−２６７１００号公報
【特許文献２】特開２００６−２７９８２１号公報
【発明の概要】
【発明が解決しようとする課題】
【０００７】
ところで、サブＣＰＵに通信ネットワークを介した通信機能を割り当てる場合、多様なプロトコルに対応できるだけのメモリが必要なので、サブＣＰＵのシステムが大きくなってしまう。この場合、サブＣＰＵがそのシステムの大きさに応じた電力を消費するので、サブＣＰＵの消費電力が増大する。このことは、省電力を推進することを阻害してしまう。
【０００８】
本発明は、上記の問題を解決するためになされたもので、省電力モードにおいて、消費電力を適切に低減させることができる画像形成装置を提供することを目的とする。
【課題を解決するための手段】
【０００９】
本発明の一局面に係る画像形成装置は、通信ネットワークにおける物理層を制御するとともに、消費電力を抑制する省電力モードと、前記消費電力を抑制しない通常モードとを有し、前記通信ネットワークとの間での送受信アクセスが予め設定された設定時間の間無かった場合、前記通常モードから前記省電力モードへ移行する通信部と、前記通信部を用いて前記通信ネットワークにアクセスする通信制御部と、前記通信制御部への電源供給をオンオフするスイッチング部と、前記通信部が前記省電力モードのとき前記スイッチング部をオフさせる監視制御部と、を備えることを特徴とする。
【００１０】
通信制御部は、通信プロトコルに対応できるだけのシステムの大きさを必要とするから、通信制御部の消費電力が増大する。一方、監視制御部は、通信部が省電力モードのときスイッチング部をオフさせることができればよいので、監視制御部のシステムを小さくすることができ、監視制御部の消費電力を小さくすることができる。
【００１１】
この構成によれば、監視制御部は、通信部が省電力モードのときにはスイッチング部をオフさせる。これにより、省電力モードにおいて、消費電力が大きな通信制御部には電源が供給されないので、省電力モードにおいて、消費電力を適切に低減させることができる。
【００１２】
上記構成において、前記通信部は、前記省電力モードにおいて、前記通信ネットワークを介して、前記省電力モードから前記通常モードに復帰することを指示する指示信号を受け付けたときには、前記通常モードに復帰し、前記監視制御部は、前記通信部が前記通常モードに復帰するか否かを監視し、前記通信部が前記通常モードに復帰したときに、前記スイッチング部をオンさせることが好ましい。
【００１３】
この構成によれば、通信部は、省電力モードにおいて、通信ネットワークを介して指示信号を受け付けたときに通常モードに復帰し、監視制御部は、通信部が通常モードに復帰したときに、スイッチング部をオンさせる。
【００１４】
これにより、外部の通信端末装置から、通信ネットワークを介して指示信号を出力することにより、通信部を通常モードに復帰させるとともに、通信制御部への電源供給を再開させることができる。その結果、通信ネットワークを介した通信を再開させることができる。
【００１５】
上記構成において、前記通信制御部と前記通信部とは、通信ラインを介して接続されており、前記通信制御部がマスター、前記通信部がスレーブとなって、１対１通信を行い、  前記監視制御部は、前記通信制御部と前記通信部との間のデータ送受信を監視し、前記データ送受信が予め設定された監視時間の間無かった場合、前記通信制御部に前記通信部へのアクセス権を要求し、前記アクセス権が得られたとき、前記通信ラインを介して前記通信部へアクセスすることによって、前記通信部が前記省電力モードと前記通常モードとのうちいずれのモードであるかを検出することが好ましい。
【００１６】
この構成によれば、監視制御部は、通信制御部がマスター、通信部がスレーブとなって、１対１通信を行っている通信ラインを用いて、通信部が省電力モードと通常モードとのうちいずれのモードであるかを検出する。
【００１７】
これにより、通信部が省電力モードと通常モードとのうちいずれのモードであるかを検出するための通信ラインを新たに設ける必要なく、通信部がいずれのモードであるかを検出することができる。
【００１８】
上記構成において、原稿の画像データを取得する画像取得部と、前記画像取得部によって取得された画像データを用紙に形成する画像形成部と、前記画像取得部及び前記画像形成部を制御する制御部と、を備え、前記スイッチング部は、前記通信制御部への電源供給に加えて、前記制御部への電源供給をオンオフすることが好ましい。
【００１９】
この構成によれば、監視制御部は、通信部が省電力モードのときには、スイッチング部をオフさせて、通信制御部及び制御部への電源供給を中止させるので、より適切に消費電力を低減させることができる。
【発明の効果】
【００２０】
本発明によれば、省電力モードにおいて、消費電力を適切に低減させることができる。
【図面の簡単な説明】
【００２１】
【図１】本発明の一実施形態に係る画像形成装置の構成の一例を模式的に示した縦断面図である。
【図２】制御部の構成の一例を示したブロック図である。
【図３】制御部の基本動作の概要の一例を示したフローチャートである。
【図４】制御部の基本動作の概要の一例を示したフローチャートである。
【図５】制御部の基本動作の概要の一例を示したタイムチャートである。
【発明を実施するための形態】
【００２２】
以下に、本発明の実施の形態について、図面を用いて説明する。図１は、本発明の一実施形態に係る画像形成装置Ａの構成の一例を模式的に示した縦断面図である。
【００２３】
画像形成装置Ａは、制御部１を備える。制御部１は、画像形成装置Ａを統括的に制御するほか、通信ネットワークＮを介した外部の通信端末装置（例えば、パーソナルコンピューター）との間の通信を制御する。
【００２４】
画像形成装置Ａは、本体筐体２と、本体筐体２の左方に配設されたスタックトレイ３と、本体筐体２の上部に配設された原稿読取部（画像取得部）２００と、原稿読取部２００の上方に配設された原稿給送部６と、を有している。また、画像形成装置Ａのフロント部には、略長方形のユーザーインターフェース部１００が設けられている。
【００２５】
原稿読取部２００は、ＣＣＤ（Charge Coupled Device）や露光ランプ等からなるスキャナ部２０１と、ガラス等の透明部材により構成された原稿台２０２及び原稿読取スリット２０３とを備える。スキャナ部２０１は、図略の駆動部によって移動可能に構成され、原稿台２０２に載置された原稿を読み取るときは、原稿台２０２に対向する位置で原稿面に沿って移動され、原稿画像を走査する。
【００２６】
また、原稿読取部２００は、原稿給送部６により給送された原稿を読み取るときは、原稿読取スリット２０３と対向する位置に移動され、原稿読取スリット２０３を介して原稿給送部６による原稿の搬送動作と同期して原稿の画像を取得する。
【００２７】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット２０３に対向する位置へ搬送し、原稿排出部６２へ排出するための給紙ローラー（図略）、搬送ローラー（図略）等からなる原稿搬送機構６３を備える。原稿搬送機構６３は、さらに原稿を表裏反転させて原稿読取スリット２０３と対向する位置へ再搬送する用紙反転機構（図略）を備え、原稿の両面の画像を、原稿読取スリット２０３を介してスキャナ部２０１から読取可能にしている。
【００２８】
また、原稿給送部６は、その前面側が上方に移動可能となるように本体筐体２に対して回動自在に設けられている。原稿給送部６の前面側を上方に移動させて原稿台２０２上面を開放することにより、原稿台２０２の上面に読み取り原稿、例えば見開き状態にされた書籍等をユーザーが載置できるようになっている。
【００２９】
本体筐体２は、複数の給紙カセット４６１と、給紙カセット４６１から記録紙を１枚ずつ繰り出して画像形成部４０へ搬送するピックアップローラー４６２と、給紙カセット４６１から搬出されてきた記録紙Ｓに画像を形成する画像形成部４０とを備える。
【００３０】
画像形成部４０は、感光体ドラム４３、感光体ドラム４３表面を除電する除電装置４２１、感光体ドラム４３表面を帯電させる帯電装置４２２、スキャナ部２０１で取得された画像データに基づきレーザ光等を出力して感光体ドラム４３を露光する露光装置４２３、感光体ドラム４３表面にトナーを供給する現像装置４４、感光体ドラム４３上のトナー像を記録紙に転写するための転写ローラー４９を備える。
【００３１】
また、画像形成部４０は、トナー像が転写された記録紙Ｓを加熱してトナー像を記録紙Ｓに定着させる定着装置４５、及び、記録紙Ｓをスタックトレイ３又は胴内排紙部４８まで搬送するための搬送ローラー１９を備える。
【００３２】
ユーザーインターフェース部１００は、表示部５と操作部１８とを備えている。操作部１８には、例えば、原稿の画像データを読み取り、読み取った画像データを記録紙に形成するコピー機能を選択するためのボタンが含まれている。当該ボタンが操作されたとき、ユーザーインターフェース部１００は、コピー機能を受け付け、所定の操作画面を表示させる。そして、ユーザーインターフェース部１００は、画質やプリント枚数等が選択され、所定のスタートキーが操作されたとき、画像形成の実行指示を受け付ける。
【００３３】
図２は、制御部１の構成の一例を示したブロック図である。
【００３４】
制御部１は、コントローラーＣｏと、ＰＨＹ制御部１０３（通信部）と、監視マイコン１０４（監視制御部）と、電源制御ＦＥＴ（Field effect transistor；スイッチング部）１０５とを備える。
【００３５】
コントローラーＣｏは、サブＣＰＵ１０１（通信制御部）とメインＣＰＵ１０２（制御部）とを備える。サブＣＰＵ１０１は、ＯＳＩ参照モデルにおける論理層を制御する回路である。サブＣＰＵ１０１は、ＰＨＹ制御部１０３を用いて通信ネットワークＮにアクセスする。
【００３６】
メインＣＰＵ１０２は、画像形成装置Ａを統括的に制御する回路である。メインＣＰＵ１０２は、例えば、画像形成装置Ａの各機能のうち通信ネットワークＮへのアクセス以外の機能、例えば、原稿読取部２００における原稿読取、及び、画像形成部４０における画像形成を制御する。
【００３７】
ＰＨＹ制御部１０３は、通信ネットワークＮにおいて、ＯＳＩ参照モデルにおける物理層の一つであるＰＨＹ層（physical layer）を制御するインターフェースである。ＰＨＹ制御部１０３は、サブＣＰＵ１０１から送信されてきたデータを通信ネットワークＮに送信したり、通信ネットワークＮから送信されてきたデータをサブＣＰＵ１０１に送信する。
【００３８】
ＰＨＹ制御部１０３は、ＰＨＹ制御部１０３の消費電力を抑制する省電力モードと、ＰＨＹ制御部１０３の消費電力を抑制しない通常モードとを有する。このＰＨＹ制御部１０３は、通信ネットワークＮとの間での送受信アクセスが予め設定された設定時間の間無かった場合、通常モードから省電力モードへ移行する。そして、ＰＨＹ制御部１０３は、省電力モードにおいて、通信ネットワークＮを介して、省電力モードから通常モードに復帰することを指示する指示信号を受け付けたときに、通常モードに移行する。
【００３９】
このＰＨＹ制御部１０３は、例えば、ＩＥＥＥ８０２．３ａｚなどの規格に対応している。ＰＨＹ制御部１０３としては、例えば、Ｂｒｏａｄｃｏｍ社製、Ｍａｒｖｅｌｌ社製、Ｒｅａｌｔｅｃ社製など、を用いることができる。
【００４０】
監視マイコン１０４は、ＰＨＹ制御部１０３が通常モードであるか省電力モードであるかを監視する。監視マイコン１０４には、例えば、論理層の１つであるＭＡＣ層（Media Access Control layer）と、ＰＨＹ層との間のインターフェースであるＭＩＩ（Medium Independent Interface）が実装されている。監視マイコン１０４は、このＭＩＩを用いて、ＰＨＹ制御部１０３内のレジスタの値を読み出すことにより、ＰＨＹ制御部１０３がいずれのモードであるかを検出する。
【００４１】
そして、監視マイコン１０４は、ＰＨＹ制御部１０３が通常モードのとき、電源制御ＦＥＴをオンさせ、ＰＨＹ制御部１０３が省電力モードのとき、電源制御ＦＥＴ１０５をオフさせる。電源制御ＦＥＴ１０５は、コントローラーＣｏ、すなわち、サブＣＰＵ１０１とメインＣＰＵ１０２とへの電源供給をオンオフする素子である。
【００４２】
サブＣＰＵ１０１とＰＨＹ制御部１０３との間には、データラインＬ１、シリアル通信ラインＬ２（通信ライン）、及び割り込み信号ラインＬ３が配置されている。
【００４３】
サブＣＰＵ１０１は、通信ネットワークＮに送るべきデータを、データラインＬ１を介して、ＰＨＹ制御部１０３に送信する。また、ＰＨＹ制御部１０３は、通信ネットワークＮから送られてきたデータを、データラインＬ１を介して、サブＣＰＵ１０１に送信する。尚、データラインＬ１は分岐して監視マイコン１０４にも通じている。これにより、監視マイコン１０４は、データラインＬ１を介したデータの送受信を監視する。
【００４４】
サブＣＰＵ１０１とＰＨＹ制御部１０３とは、サブＣＰＵ１０１をマスター、ＰＨＹ制御部１０３をスレーブとして、シリアル通信ラインＬ２を介して１対１通信を行う。
【００４５】
ＰＨＹ制御部１０３は、省電力モードでは、割り込み信号ラインＬ３を通じて、例えば、ローレベルの割り込み信号を、サブＣＰＵ１０１に出力する。ＰＨＹ制御部１０３は、省電力モードから通常モードに移行したときに、例えば、割り込み信号をハイレベルに変化させることにより、割り込み要求を行う。尚、割り込み信号ラインＬ３は分岐して監視マイコン１０４に通じており、監視マイコン１０４は、ＰＨＹ制御部１０３による割り込み要求を受け付ける。
【００４６】
また、監視マイコン１０４は、サブＣＰＵ１０１に、例えば、ローレベルのアクセス権要求信号をサブＣＰＵ１０１に出力することにより、ＰＨＹ制御部１０３へのアクセス権を要求する。尚、監視マイコン１０４は、例えば、アクセス権要求信号をハイレベルにすることにより、ＰＨＹ制御部１０３へのアクセス権の要求を取り下げる。
【００４７】
さらに、サブＣＰＵ１０１は、監視マイコン１０４によるアクセス権要求を受けて、例えば、ローレベルの許可信号を出力することにより、ＰＨＹ制御部１０３へのアクセス権の要求を許可する。尚、サブＣＰＵ１０１は、例えば、許可信号をハイレベルにすることにより、アクセス権要求を不許可にする。
【００４８】
以下、かかる構成の制御部１の基本動作について、図３〜図５を用いて説明する。図３及び図４は、制御部１の基本動作の概要の一例を示したフローチャートである。図５は、制御部１の基本動作の概要の一例を示したタイムチャートである。
【００４９】
尚、図５において、（ａ）は、データラインＬ１を通じて送受されるデータを示し、（ｂ）は、監視マイコン１０４からサブＣＰＵ１０１へ送信されるアクセス権要求信号を示し、（ｃ）は、サブＣＰＵ１０１から監視マイコン１０４へ送信される許可信号を示し、（ｄ）は、監視マイコン１０４からシリアル通信ラインＬ２を介して送信されるデータを示し、（ｅ）は、電源制御ＦＥＴ１０５のオンオフ状態を示し、（ｆ）は、通信ネットワークＮを送受されるデータを示し、（ｇ）は、ＰＨＹ制御部１０３から送信される割り込み信号を示している。
【００５０】
尚、以下の処理が行われる前提として、ＰＨＹ制御部１０３が通常モードであり、電源制御ＦＥＴ１０５によるサブＣＰＵ１０１及びメインＣＰＵ１０２への電源供給が行われているものとする。
【００５１】
ＰＨＹ制御部１０３は、通信ネットワークＮを通じてデータを受信すると、受信データを、データラインＬ１を介して、サブＣＰＵ１０１に送信する。そして、ＰＨＹ制御部１０３による通信ネットワークＮを通じたデータ受信が完了するタイミングＴ０から少し遅れたタイミングＴ１において、ＰＨＹ制御部１０３からサブＣＰＵ１０１へのデータ送信が完了する。
【００５２】
そして、タイミングＴ１において（ステップＳ１のＹＥＳ）、監視マイコン１０４は、予め設定された監視時間の計測を開始する（ステップＳ２）。そして、タイミングＴ１から監視時間が経過したタイミングＴ２までの間に、サブＣＰＵ１０１とＰＨＹ制御部１０３との間のデータ送受信があれば（ステップＳ３のＹＥＳ）、監視マイコン１０４は、ステップＳ１に戻る。一方、タイミングＴ１からタイミングＴ２までの間に、データ送受信がなければ（ステップＳ３のＮＯ、ステップＳ４のＹＥＳ）、監視マイコン１０４は、アクセス権要求信号をローレベルにして、サブＣＰＵ１０２にアクセス権を要求する（ステップＳ５、タイミングＴ２）。
【００５３】
サブＣＰＵ１０１は、アクセス権要求信号がローレベルになると、監視マイコン１０４にＰＨＹ制御部１０３へのアクセス権を付与してよいか否かを判断する。例えば、サブＣＰＵ１０１は、サブＣＰＵ１０１からシリアル通信ラインＬ２を介してＰＨＹ制御部１０３に送信すべきデータがあるか否かを判断し、データがある場合にはアクセス権を付与してはいけないと判断し、データがない場合にはアクセス権を付与してもよいと判断する。
【００５４】
或いは、サブＣＰＵ１０１は、メインＣＰＵ１０２へ、メインＣＰＵ１０２への電源供給を中止してよいか否かを問い合わせ、その返信に基づいて、アクセス権を付与してよいか否かを判断する。
【００５５】
サブＣＰＵ１０１は、監視マイコン１０４にアクセス権を付与してもよいと判断したタイミングＴ３において、監視マイコン１０４に向けた許可信号をローレベルにすることにより、監視マイコン１０４へアクセス権を付与する。尚、許可信号は、ローレベルでアクセス許可を表し、ハイレベルでアクセス不許可を表している。
【００５６】
監視マイコン１０４は、許可信号がローレベルになってアクセス権が付与されたとき（ステップＳ６のＹＥＳ）、シリアル通信ラインＬ２を介してＰＨＹ制御部１０３へアクセスし（ステップＳ７）、ＰＨＹ制御部１０３と通信を行うことにより、ＰＨＹ制御部１０３が省電力モードと通常モードとのいずれのモードであるかを検出する（ステップＳ８）。
【００５７】
尚、サブＣＰＵ１０１は、許可信号をローレベルにして監視マイコン１０４へアクセス権を付与した後、ＰＨＹ制御部１０３との通信を継続して行いたい場合やメインＣＰＵ１０１への電源供給を継続させたい場合には、許可信号をハイレベルにして、監視マイコン１０４のアクセス権の付与を取り下げる。
【００５８】
監視マイコン１０４は、ＰＨＹ制御部１０３が省電力モードであることを検出したときには（ステップＳ９のＹＥＳ）、省電力モードであることを検出したタイミングＴ４において、電源制御ＦＥＴ１０５をオフさせる（ステップＳ１０）。これにより、サブＣＰＵ１０１及びメインＣＰＵ１０２への電源供給が遮断される。
【００５９】
尚、ステップＳ６において、ＰＨＹ制御部１０３へのアクセス権が取得できなかったとき（ステップＳ６のＮＯ）、或いは、ステップＳ９において、ＰＨＹ制御部１０３が省電力モードでなく通常モードのときには（ステップＳ９のＮＯ）、監視マイコン１０４は、電源制御ＦＥＴ１０５をオフさせず、サブＣＰＵ１０１及びメインＣＰＵ１０２への電源供給を継続させる。
【００６０】
そして、タイミングＴ５〜Ｔ６において、例えば、通信ネットワークＮに接続された外部の通信端末装置から、ＰＨＹ制御部１０３が、通信ネットワークＮを介して、通常モードに復帰することを指示する指示信号である復帰パケットを受信すると、ＰＨＹ制御部１０３は、省電力モードから通常モードに移行して、監視マイコン１０４に対する割り込み信号をハイレベルにして割り込みを要求する。
【００６１】
監視マイコン１０４は、割り込み要求を受信すると（ステップＳ１１のＹＥＳ）、シリアル通信ラインＬ２を介してＰＨＹ制御部１０３にアクセスして（ステップＳ１２）、ＰＨＹ制御部１０３と通信を行って、ＰＨＹ制御部１０３が省電力モードと通常モードとのいずれのモードであるかを検出する（ステップＳ１３）。
【００６２】
そして、監視マイコン１０４は、通常モードであると検出したときには（ステップＳ１４のＹＥＳ）、タイミングＴ８において、電源制御ＦＥＴ１０５をオンさせる（ステップＳ１５）。これにより、サブＣＰＵ１０１及びメインＣＰＵ１０２への電源供給が再開される。
【００６３】
そして、サブＣＰＵ１０１は、電源供給が再開されたタイミングＴ８において、監視マイコン１０４に対する許可信号をハイレベルに戻すことにより、監視マイコン１０４によるＰＨＹ制御部１０３へのアクセスを不許可にする。そして、監視マイコン１０４は、許可信号がハイレベルに戻されたタイミングＴ８に少し遅れたタイミングＴ９において、サブＣＰＵ１０１に対するアクセス権要求信号をハイレベルに戻して、ＰＨＹ制御部１０３へのアクセス権の要求を取り下げる。
【００６４】
そして、監視マイコン１０４は、ステップＳ１に移行する。
【００６５】
尚、本実施形態においては、サブＣＰＵ１０１とメインＣＰＵ１０２とを別々に設けているが、システムが小規模にできる場合には、これらの機能をまとめた１つのＣＰＵを配置してもよい。
【００６６】
また、監視マイコン１０４は、ユーザーインターフェース部１００が操作を受け付けたときや、図示しないＵＳＢインターフェースに接続された通信端末信号からＶＢＵＳ信号を受け付けたときに、電源制御ＦＥＴ１０５をオンしてもよい。
【００６７】
さらに、監視マイコン１０４をオプションボード化して、監視マイコン１０４を画像形成装置１に取り付けたときに、監視マイコン１０４と、サブＣＰＵ１０１、ＰＨＹ制御部１０３、及び電源制御ＦＥＴ１０５との間の通信が可能になるようにしてもよい。
【符号の説明】
【００６８】
Ａ  画像形成装置
４０  画像形成部
１０１  サブＣＰＵ
１０２  メインＣＰＵ
１０３  ＰＨＹ制御部
１０４  監視マイコン
１０５  電源制御ＦＥＴ
２００  原稿読取部
Ｌ２  シリアル通信ライン
Ｎ  通信ネットワーク
【図１】
0005514771.tif 000002
【図２】
0005514771.tif 000003
【図３】
0005514771.tif 000004
【図４】
0005514771.tif 000005
【図５】
0005514771.tif 000006